(57)【要約】【課題】撮影者が被写体を追従していた時間を計測及び記録し、撮影条件や再生方法の自動設定に利用する【解決手段】スルー画像から被写体を検出し、被写体がフレームアウトするまでの時間を追従時間として計測する。追従時間が３秒を超えた場合は１秒毎にスルー画像のフレームを静止画として記録する。本撮影が行われた時点での追従時間が５秒以上の場合は連写モード、５秒未満の場合は通常モードで撮影を行い、本撮影した画像に追従時間を関連付けて記録する。また、本撮影した画像の追従時間が４秒以上の場合は撮影後のポストビュー表示を検出されていた被写体の拡大表示とする。【選択図】  図２
2010087598.tif 000002
【特許請求の範囲】
【請求項１】
静止画撮影モード中に撮像素子を周期的に駆動して複数の画像の撮影を行うとともに、撮影指示が入力されると静止画の本撮影を行う撮像手段と、
前記本撮影前に撮影した画像から任意の被写体を検出する被写体検出手段と、
前記被写体検出手段により被写体が継続して検出された時間を計測する計測手段と、
前記計測した時間を出力する出力手段と、
を備えたことを特徴とする撮影装置。
【請求項２】
前記撮像手段は、前記撮影指示が入力された時点での前記計測した時間が、第１の閾値未満の場合には１回の撮影指示に連動して１コマの静止画の本撮影を行い、第１の閾値以上の場合には１回の撮影指示に連動して所定の時間間隔で連続して複数コマの静止画の本撮影を行うことを特徴とする請求項１に記載の撮影装置。
【請求項３】
前記被写体検出手段により被写体が継続して検出されている間の前記撮影装置の移動量を検出する手段を備え、
前記検出した移動量、又は前記検出した移動量及び計測した時間から算出した前記撮影装置の移動速度に応じて本撮影の条件を設定することを特徴とする請求項１又は２に記載の撮影装置。
【請求項４】
前記検出した移動量が大きいほど又は前記算出した移動速度が速いほど、本撮影時のシャッタスピードを速く又は撮影感度を高く設定することを特徴とする請求項３に記載の撮影装置。
【請求項５】
前記出力手段は、本撮影された静止画と前記計測した時間とを関連付けて記録する記録制御手段を備えたことを特徴とする請求項１から４のいずれかに記載の撮影装置。
【請求項６】
前記記録制御手段は、前記撮影指示が入力される前に前記計測した時間が第２の閾値以上になると、前記本撮影前に撮影した画像のうち所定の時間間隔の画像を記録することを特徴とする請求項５に記載の撮影装置。
【請求項７】
前記計測手段は、前記被写体検出手段により検出された複数の被写体についてそれぞれの被写体が継続して検出された時間を計測し、
前記記録制御手段は、本撮影された静止画と該静止画に撮影された被写体についての前記計測した時間とを関連付けて記録することを特徴とする請求項５又は６に記載の撮影装置。
【請求項８】
前記記録制御手段は、前記本撮影された静止画と前記検出した移動量とを関連付けて記録することを特徴とする請求項５から７のいずれかに記載の撮影装置。
【請求項９】
請求項５から８のいずれかに記載の撮影装置で記録された静止画を表示手段に再生表示する画像表示装置であって、
前記撮影装置で記録された静止画と該静止画に関連付けて記録された計測時間とを取得する手段と、
前記取得した計測時間に基づいて前記静止画の表示サイズを決定する手段と、
前記決定された表示サイズに基づいて複数の前記取得した静止画を前記表示手段に一覧表示する手段と、
を備えたことを特徴とする画像表示装置。
【請求項１０】
請求項５から８のいずれかに記載の撮影装置で記録された静止画を表示手段に再生表示する画像表示装置であって、
前記撮影装置で記録された静止画と該静止画に関連付けて記録された計測時間とを取得する手段と、
前記取得した計測時間に基づいて前記静止画の表示時間を決定する手段と、
前記決定された表示時間に基づいて複数の前記取得した静止画を前記表示手段に順次再生表示する手段と、
を備えたことを特徴とする画像表示装置。
【請求項１１】
請求項８に記載の撮影装置で記録された静止画を表示手段に再生表示する画像表示装置であって、
前記撮影装置で記録された静止画と該静止画に関連付けて記録された計測時間とを取得する手段と、
前記取得した移動量に基づいて前記静止画を表示する際の画像切替え効果を決定する手段と、
前記決定された画像切替え効果に基づいて前記静止画を表示手段に再生表示する手段と、
を備えたことを特徴とする画像表示装置。
【請求項１２】
静止画撮影モード中に撮像素子を周期的に駆動して複数の画像の撮影を行うとともに、撮影指示が入力されると静止画の本撮影を行う撮像手段と、
前記本撮影前に撮影した画像から任意の被写体を検出する被写体検出手段と、
前記被写体検出手段により被写体が継続して検出された時間を計測する手段と、
本撮影された静止画と前記計測した時間とを関連付けて記録手段に記録する記録制御手段と、
前記記録手段から静止画と該静止画に関連付けて記録された計測時間とを読み出す手段と、
前記読み出した計測時間に基づいて前記静止画の表示サイズを決定する手段と、
前記決定された表示サイズに基づいて複数の前記取得した静止画を前記表示手段に一覧表示する手段と、
を備えたことを特徴とする撮影システム。
【請求項１３】
静止画撮影モード中に撮像素子を周期的に駆動して複数の画像の撮影を行うとともに、撮影指示が入力されると静止画の本撮影を行う撮像手段と、
前記本撮影前に撮影した画像から任意の被写体を検出する被写体検出手段と、
前記被写体検出手段により被写体が継続して検出された時間を計測する手段と、
本撮影された静止画と前記計測した時間とを関連付けて記録手段に記録する記録制御手段と、
前記記録手段から静止画と該静止画に関連付けて記録された計測時間とを読み出す手段と、
前記読み出した計測時間に基づいて前記静止画の表示時間を決定する手段と、
前記決定された表示時間に基づいて複数の前記読み出した静止画を表示手段に順次表示する手段と、
を備えたことを特徴とする撮影システム。
【請求項１４】
静止画撮影モード中に撮像素子を周期的に駆動して複数の画像の撮影を行うとともに、撮影指示が入力されると静止画の本撮影を行う撮像工程と、
前記本撮影前に撮影した画像から任意の被写体を検出する被写体検出工程と、
前記被写体検出工程により被写体が継続して検出された時間を計測する工程と、
前記計測した時間を出力する出力工程と、
を備えたことを特徴とする撮影制御方法。
【請求項１５】
請求項３から８のいずれかに記載の撮影装置で記録された静止画を表示手段に再生表示する画像表示方法であって、
前記撮影装置で記録された静止画と該静止画に関連付けて記録された計測時間とを取得する工程と、
前記取得した計測時間に基づいて前記静止画の表示サイズを決定する工程と、
前記決定された表示サイズに基づいて複数の前記取得した静止画を前記表示手段に一覧表示する工程と、
を備えたことを特徴とする画像表示方法。
【請求項１６】
請求項３から８のいずれかに記載の撮影装置で記録された静止画を表示手段に再生表示する画像表示方法であって、
前記撮影装置で記録された静止画と該静止画に関連付けて記録された計測時間とを取得する工程と、
前記取得した計測時間に基づいて前記静止画の表示時間を決定する工程と、
前記決定された表示時間に基づいて複数の前記取得した静止画を前記表示手段に順次再生表示する工程と、
を備えたことを特徴とする画像表示方法。
【請求項１７】
静止画撮影モード中に撮像素子を周期的に駆動して複数の画像の撮影を行うとともに、撮影指示が入力されると静止画の本撮影を行う撮像工程と、
前記本撮影前に撮影した画像から任意の被写体を検出する被写体検出工程と、
前記被写体検出工程により被写体が継続して検出された時間を計測する工程と、
本撮影された静止画と前記計測した時間とを関連付けて記録手段に記録する記録制御工程と、
前記記録手段から静止画と該静止画に関連付けて記録された計測時間とを読み出す工程と、
前記読み出した計測時間に基づいて前記静止画の表示サイズを決定する工程と、
前記決定された表示サイズに基づいて複数の前記取得した静止画を表示手段に一覧表示する工程と、
を備えたことを特徴とする撮影システムの制御方法。
【請求項１８】
静止画撮影モード中に撮像素子を周期的に駆動して複数の画像の撮影を行うとともに、撮影指示が入力されると静止画の本撮影を行う撮像工程と、
前記本撮影前に撮影した画像から任意の被写体を検出する被写体検出工程と、
前記被写体検出手段により被写体が継続して検出された時間を計測する工程と、
本撮影された静止画と前記計測した時間とを関連付けて記録手段に記録する記録制御工程と、
前記記録手段から静止画と該静止画に関連付けて記録された計測時間とを読み出す工程と、
前記読み出した計測時間に基づいて前記静止画の表示時間を決定する工程と、
前記決定された表示時間に基づいて複数の前記読み出した静止画を表示手段に順次表示する工程と、
を備えたことを特徴とする撮影システムの制御方法。
【請求項１９】
静止画撮影モード中に撮像素子を周期的に駆動して複数の画像の撮影を行うとともに、撮影指示が入力されると静止画の本撮影を行う撮像工程と、
前記本撮影前に撮影した画像から任意の被写体を検出する被写体検出工程と、
前記被写体検出工程により被写体が継続して検出された時間を計測する工程と、
前記計測した時間を出力する出力工程と、
を備えたことを特徴とする撮影制御方法をコンピュータに実行させるプログラム。
【請求項２０】
請求項３から８のいずれかに記載の撮影装置で記録された静止画を表示手段に再生表示する画像表示方法をコンピュータに実行させるプログラムであって、
前記撮影装置で記録された静止画と該静止画に関連付けて記録された計測時間とを取得する工程と、
前記取得した計測時間に基づいて前記静止画の表示サイズを決定する工程と、
前記決定された表示サイズに基づいて複数の前記取得した静止画を前記表示手段に一覧表示する工程と、
を備えたことを特徴とする画像表示方法をコンピュータに実行させるプログラム。
【請求項２１】
請求項３から８のいずれかに記載の撮影装置で記録された静止画を表示手段に再生表示する画像表示方法をコンピュータに実行させるプログラムであって、
前記撮影装置で記録された静止画と該静止画に関連付けて記録された計測時間とを取得する工程と、
前記取得した計測時間に基づいて前記静止画の表示時間を決定する工程と、
前記決定された表示時間に基づいて複数の前記取得した静止画を前記表示手段に順次再生表示する工程と、
を備えたことを特徴とする画像表示方法をコンピュータに実行させるプログラム。
【請求項２２】
静止画撮影モード中に撮像素子を周期的に駆動して複数の画像の撮影を行うとともに、撮影指示が入力されると静止画の本撮影を行う撮像工程と、
前記本撮影前に撮影した画像から任意の被写体を検出する被写体検出工程と、
前記被写体検出工程により被写体が継続して検出された時間を計測する工程と、
本撮影された静止画と前記計測した時間とを関連付けて記録手段に記録する記録制御工程と、
前記記録手段から静止画と該静止画に関連付けて記録された計測時間とを読み出す工程と、
前記読み出した計測時間に基づいて前記静止画の表示サイズを決定する工程と、
前記決定された表示サイズに基づいて複数の前記取得した静止画を表示手段に一覧表示する工程と、
を備えたことを特徴とする撮影システムの制御方法をコンピュータに実行させるプログラム。
【請求項２３】
静止画撮影モード中に撮像素子を周期的に駆動して複数の画像の撮影を行うとともに、撮影指示が入力されると静止画の本撮影を行う撮像工程と、
前記本撮影前に撮影した画像から任意の被写体を検出する被写体検出工程と、
前記被写体検出手段により被写体が継続して検出された時間を計測する工程と、
本撮影された静止画と前記計測した時間とを関連付けて記録手段に記録する記録制御工程と、
前記記録手段から静止画と該静止画に関連付けて記録された計測時間とを読み出す工程と、
前記読み出した計測時間に基づいて前記静止画の表示時間を決定する工程と、
前記決定された表示時間に基づいて複数の前記読み出した静止画を表示手段に順次表示する工程と、
を備えたことを特徴とする撮影システムの制御方法をコンピュータに実行させるプログラム。
【発明の詳細な説明】
【技術分野】
【０００１】
本発明は撮影装置及び撮影制御方法ならびにそのプログラム、画像表示装置及び画像表示方法ならびにそのプログラム、撮影システム及びその制御方法ならびにそのプログラムに係り、特に、本撮影を行うまでに被写体を追従した時間に応じて撮影条件や再生方法の設定を行う撮影装置及び撮影制御方法ならびにそのプログラム、画像表示装置及び画像表示方法ならびにそのプログラム、撮影システム及びその制御方法ならびにそのプログラムに関する。
【背景技術】
【０００２】
撮影者が撮影を行う際には、カメラのファインダーやモニタに表示されたスルー画像を確認して撮影画角の中に被写体を収め、構図を決めてから本撮影を行う。また、構図を決めた後に、被写体が特定の動作を行うのを待ち構え、被写体の動きに合わせて本撮影を行うこともある。
【０００３】
特許文献１には、被写体を撮像するための操作がユーザによって継続的に行われている時間を計数する撮像所要時間計数部と、撮像所要時間計数部が計数した撮像所要時間に基づいて、撮像した画像の重要度を算出する重要度算出部と、重要度算出部が算出した重要度がより大きい画像を、より大きく表示又は印刷させる出力制御部とを備えた装置が記載されている。この装置によれば、ユーザが慎重にシャッターチャンスを選びながら慎重に撮像した画像等、ユーザにとって大事な画像をアルバムの表紙に使用したり、アルバム内の最も目立つ位置に配置したりすることが可能となる。
【特許文献１】特開２００６−２８７９１１号公報
【発明の開示】
【発明が解決しようとする課題】
【０００４】
撮影者が慎重に撮影を行う場合は、撮影画角の中に被写体を収めてから本撮影を行うまでの時間が長くなると考えられる。しかしながら、特許文献１の撮像所要時間計数部は、ユーザによるピント調整、シャッタースピード調整等の、撮像部に被写体を撮像させるための操作が所定の時間間隔以内で行われた期間や、撮像部が被写体を撮像することが可能な状態に設定されてから、ユーザがレリーズボタンに触れていると判断されている期間を、撮像所要時間として計数しており、撮影画角内に被写体が収められているか否かについては判断していない。
【０００５】
また、本撮影を行うにあたって撮影者が被写体を追従していた時間を計測及び記録し、撮影条件や再生方法の自動設定に利用するものはなかった。
【０００６】
本発明はこのような事情に鑑みてなされたもので、本撮影前に被写体を追従している間の時間を出力する撮影装置及び撮影制御方法ならびにそのプログラム、画像表示装置及び画像表示方法ならびにそのプログラム、撮影システム及びその制御方法ならびにそのプログラムを提供することを目的とする。
【課題を解決するための手段】
【０００７】
前記目的を達成するために本発明に係る撮影装置は、静止画撮影モード中に撮像素子を周期的に駆動して複数の画像の撮影を行うとともに、撮影指示が入力されると静止画の本撮影を行う撮像手段と、前記本撮影前に撮影した画像から任意の被写体を検出する被写体検出手段と、前記被写体検出手段により被写体が継続して検出された時間を計測する計測手段と、前記計測した時間を出力する出力手段とを備えたことを特徴とする。
【０００８】
このように、被写体が継続して検出された時間を計測し、計測した時間を出力することにより、撮影者が撮影の指標を得ることができる。
【０００９】
前記撮像手段は、前記撮影指示が入力された時点での前記計測した時間が、第１の閾値未満の場合には１回の撮影指示に連動して１コマの静止画の本撮影を行い、第１の閾値以上の場合には１回の撮影指示に連動して所定の時間間隔で連続して複数コマの静止画の本撮影を行うことが好ましい。
【００１０】
これにより、シャッターチャンスを逃さずに、確実に撮りたい瞬間の撮影をすることができる。
【００１１】
前記被写体検出手段により被写体が継続して検出されている間の前記撮影装置の移動量を検出する手段を備え、前記検出した移動量、又は前記検出した移動量及び計測した時間から算出した前記撮影装置の移動速度に応じて本撮影の条件を設定することが好ましい。
【００１２】
これにより、被写体に応じた最適な撮影条件を設定することができる。
【００１３】
前記検出した移動量が大きいほど又は前記算出した移動速度が速いほど、本撮影時のシャッタースピードを速く又は撮影感度を高く設定することが好ましい。
【００１４】
これにより、被写体に応じた最適な撮影条件を設定することができる。
【００１５】
前記出力手段は、本撮影された静止画と前記計測した時間とを関連付けて記録する記録制御手段を備えることが好ましい。
【００１６】
これにより、静止画の再生時の検索効率を上げることができる。
【００１７】
前記記録制御手段は、前記撮影指示が入力される前に前記計測した時間が第２の閾値以上になった場合に、前記本撮影前に撮影した画像のうち所定の時間間隔の画像を記録してもよい。
【００１８】
これにより、万が一シャッターチャンスを逃した場合であっても、撮影時の様子を記録として残すことができる。
【００１９】
前記計測手段は、前記被写体検出手段により検出された複数の被写体についてそれぞれの被写体が継続して検出された時間を計測し、前記記録制御手段は、本撮影された静止画と該静止画に撮影された被写体についての前記計測した時間とを関連付けて記録することが好ましい。
【００２０】
これにより、記録された静止画に関連する計測時間を記録することができる。
【００２１】
前記記録制御手段は、前記本撮影された静止画と前記検出した移動量とを関連付けて記録することが好ましい。
【００２２】
これにより、静止画の再生時に検出した移動量を用いることができる。
【００２３】
前記目的を達成するために本発明に係る画像表示装置は、請求項５から８のいずれかに記載の撮影装置で記録された静止画を表示手段に再生表示する画像表示装置であって、前記撮影装置で記録された静止画と該静止画に関連付けて記録された計測時間とを取得する手段と、前記取得した計測時間に基づいて前記静止画の表示サイズを決定する手段と、前記決定された表示サイズに基づいて複数の前記取得した静止画を前記表示手段に一覧表示する手段とを備えたことを特徴とする。
【００２４】
このように、計測時間に基づいて静止画の表示サイズを決定し、決定された表示サイズに基づいて一覧表示するようにしたので、ユーザは効率よく目的の画像を探すことができる。
【００２５】
前記目的を達成するために本発明に係る画像表示装置は、請求項５から８のいずれかに記載の撮影装置で記録された静止画を表示手段に再生表示する画像表示装置であって、前記撮影装置で記録された静止画と該静止画に関連付けて記録された計測時間とを取得する手段と、前記取得した計測時間に基づいて前記静止画の表示時間を決定する手段と、前記決定された表示時間に基づいて複数の前記取得した静止画を前記表示手段に順次再生表示する手段とを備えたことを特徴とする。
【００２６】
このように、計測時間に基づいて静止画の表示時間を決定し、決定された表示時間に基づいて順次再生表示するようにしたので、ユーザは効率よく目的の画像を探すことができる。
【００２７】
前記目的を達成するために本発明に係る画像表示装置は、請求項８に記載の撮影装置で記録された静止画を表示手段に再生表示する画像表示装置であって、前記撮影装置で記録された静止画と該静止画に関連付けて記録された計測時間とを取得する手段と、前記取得した移動量に基づいて前記静止画を表示する際の画像切替え効果を決定する手段と、前記決定された画像切替え効果に基づいて前記静止画を表示手段に再生表示する手段とを備えたことを特徴とする。
【００２８】
このように、移動量に基づいて画像切替え効果を決定し、決定された画像切替え効果に基づいて静止画を再生表示するようにしたので、ユーザは撮影時の臨場感やスピード感をよりリアルに再現しながら画像を鑑賞することが可能となる。
【００２９】
前記目的を達成するために本発明に係る撮影システムは、静止画撮影モード中に撮像素子を周期的に駆動して複数の画像の撮影を行うとともに、撮影指示が入力されると静止画の本撮影を行う撮像手段と、前記本撮影前に撮影した画像から任意の被写体を検出する被写体検出手段と、前記被写体検出手段により被写体が継続して検出された時間を計測する手段と、本撮影された静止画と前記計測した時間とを関連付けて記録手段に記録する記録制御手段と、前記記録手段から静止画と該静止画に関連付けて記録された計測時間とを読み出す手段と、前記読み出した計測時間に基づいて前記静止画の表示サイズを決定する手段と、前記決定された表示サイズに基づいて複数の前記取得した静止画を前記表示手段に一覧表示する手段とを備えたことを特徴とする。
【００３０】
このように、被写体が継続して検出された時間を計測し、計測した時間を記録し、記録された計測時間に基づいて静止画の表示サイズを決定し、決定された表示サイズに基づいて一覧表示するようにしたので、ユーザは効率よく目的の画像を探すことができる。
【００３１】
前記目的を達成するために本発明に係る撮影システムは、静止画撮影モード中に撮像素子を周期的に駆動して複数の画像の撮影を行うとともに、撮影指示が入力されると静止画の本撮影を行う撮像手段と、前記本撮影前に撮影した画像から任意の被写体を検出する被写体検出手段と、前記被写体検出手段により被写体が継続して検出された時間を計測する手段と、本撮影された静止画と前記計測した時間とを関連付けて記録手段に記録する記録制御手段と、前記記録手段から静止画と該静止画に関連付けて記録された計測時間とを読み出す手段と、前記読み出した計測時間に基づいて前記静止画の表示時間を決定する手段と、前記決定された表示時間に基づいて複数の前記読み出した静止画を表示手段に順次表示する手段とを備えたことを特徴とする。
【００３２】
このように、被写体が継続して検出された時間を計測し、計測した時間を記録し、記録された計測時間に基づいて静止画の表示時間を決定し、決定された表示時間に基づいて順次表示するようにしたので、強く印象に残っている画像ほどユーザの目に留まりやすい状態となり、ユーザは効率よく目的の画像を探すことができる。
【００３３】
前記目的を達成するために本発明に係る撮影制御方法は、静止画撮影モード中に撮像素子を周期的に駆動して複数の画像の撮影を行うとともに、撮影指示が入力されると静止画の本撮影を行う撮像工程と、前記本撮影前に撮影した画像から任意の被写体を検出する被写体検出工程と、前記被写体検出工程により被写体が継続して検出された時間を計測する工程と、前記計測した時間を出力する出力工程とを備えたことを特徴とする。
【００３４】
このように、被写体が継続して検出された時間を計測し、計測した時間を出力することにより、撮影者が撮影の指標を得ることができる。
【００３５】
前記目的を達成するために本発明に係る画像表示方法は、請求項３から８のいずれかに記載の撮影装置で記録された静止画を表示手段に再生表示する画像表示方法であって、前記撮影装置で記録された静止画と該静止画に関連付けて記録された計測時間とを取得する工程と、前記取得した計測時間に基づいて前記静止画の表示サイズを決定する工程と、前記決定された表示サイズに基づいて複数の前記取得した静止画を前記表示手段に一覧表示する工程とを備えたことを特徴とする。
【００３６】
このように、計測時間に基づいて静止画の表示サイズを決定し、決定された表示サイズに基づいて一覧表示するようにしたので、ユーザは効率よく目的の画像を探すことができる。
【００３７】
前記目的を達成するために本発明に係る画像表示方法は、請求項３から８のいずれかに記載の撮影装置で記録された静止画を表示手段に再生表示する画像表示方法であって、前記撮影装置で記録された静止画と該静止画に関連付けて記録された計測時間とを取得する工程と、前記取得した計測時間に基づいて前記静止画の表示時間を決定する工程と、前記決定された表示時間に基づいて複数の前記取得した静止画を前記表示手段に順次再生表示する工程とを備えたことを特徴とする。
【００３８】
このように、計測時間に基づいて静止画の表示時間を決定し、決定された表示時間に基づいて順次再生表示するようにしたので、ユーザは効率よく目的の画像を探すことができる。
【００３９】
前記目的を達成するために本発明に係る撮影システムの制御方法は、静止画撮影モード中に撮像素子を周期的に駆動して複数の画像の撮影を行うとともに、撮影指示が入力されると静止画の本撮影を行う撮像工程と、前記本撮影前に撮影した画像から任意の被写体を検出する被写体検出工程と、前記被写体検出工程により被写体が継続して検出された時間を計測する工程と、本撮影された静止画と前記計測した時間とを関連付けて記録手段に記録する記録制御工程と、前記記録手段から静止画と該静止画に関連付けて記録された計測時間とを読み出す工程と、前記読み出した計測時間に基づいて前記静止画の表示サイズを決定する工程と、前記決定された表示サイズに基づいて複数の前記取得した静止画を表示手段に一覧表示する工程とを備えたことを特徴とする。
【００４０】
このように、被写体が継続して検出された時間を計測し、計測した時間を記録し、記録された計測時間に基づいて静止画の表示サイズを決定し、決定された表示サイズに基づいて一覧表示するようにしたので、ユーザは効率よく目的の画像を探すことができる。
【００４１】
前記目的を達成するために本発明に係る撮影システムの制御方法は、静止画撮影モード中に撮像素子を周期的に駆動して複数の画像の撮影を行うとともに、撮影指示が入力されると静止画の本撮影を行う撮像工程と、前記本撮影前に撮影した画像から任意の被写体を検出する被写体検出工程と、前記被写体検出手段により被写体が継続して検出された時間を計測する工程と、本撮影された静止画と前記計測した時間とを関連付けて記録手段に記録する記録制御工程と、前記記録手段から静止画と該静止画に関連付けて記録された計測時間とを読み出す工程と、前記読み出した計測時間に基づいて前記静止画の表示時間を決定する工程と、前記決定された表示時間に基づいて複数の前記読み出した静止画を表示手段に順次表示する工程とを備えたことを特徴とする。
【００４２】
このように、被写体が継続して検出された時間を計測し、計測した時間を記録し、記録された計測時間に基づいて静止画の表示時間を決定し、決定された表示時間に基づいて順次表示するようにしたので、ユーザは効率よく目的の画像を探すことができる。
【００４３】
本発明の撮影装置、画像表示装置、撮影システムを構成する各手段をコンピュータによって実現させるためのプログラムをＣＤ−ＲＯＭや磁気ディスクその他の記録媒体に記録し、記録媒体を通じて当該プログラム を第三者に提供したり、インターネットなどの通信回線を通じて当該プログラムのダウンロードサービスを提供したりすることも可能である。
【発明の効果】
【００４４】
本発明によれば、被写体が継続して検出された時間を計測し、計測した時間を出力するようにしたので、撮影者が撮影の指標を得ることができる。また、計測した時間に応じて撮影に関する制御を切り替えることが可能となる。
【００４５】
さらに、本撮影された静止画と計測した時間とを関連付けて記録することにより、静止画の再生時の検索効率を上げることができる。
【発明を実施するための最良の形態】
【００４６】
以下に、本発明を実施するための最良の形態について説明する。
【００４７】
＜第１の実施の形態＞
図１は、本発明に係るデジタルカメラ１の電気的構成の一例を示す図である。同図に示すように、デジタルカメラ１は、レンズ１０、ＣＣＤ１１、絞り１２、赤外線カットフィルタ１３、ＣＰＵ１５、レンズ駆動部１８、絞り駆動部１９、ＣＣＤ駆動部２０、操作部２１、アナログ信号処理部２２、Ａ／Ｄ変換器２３、メインメモリ２４、メモリ制御部２５、デジタル信号処理部２６、圧縮伸張処理部２７、積算部２８、記録媒体２９、外部メモリ制御部３０、表示部３１、表示制御部３２、制御バス３３、データバス３４、被写体認識装置４１、被写体追従時間計測部４２等を備えて構成される。
【００４８】
各部はＣＰＵ１５に制御されて動作し、ＣＰＵ１５は、操作部２１からの入力に基づき所定の制御プログラムを実行することにより、デジタルカメラ１の各部を制御する。
【００４９】
デジタルカメラ１は図示しないＲＯＭを備えており、ＲＯＭにはＣＰＵ１５が実行する制御プログラムのほか、制御に必要な各種データ等が記録されている。ＣＰＵ１５は、ＲＯＭに記録された制御プログラムをメインメモリ２４に読み出し、逐次実行することにより、デジタルカメラ１の各部を制御する。
【００５０】
なお、メインメモリ２４は、ＳＤＲＡＭで構成されており、プログラムの実行処理領域として利用されるほか、画像データ等の一時記憶領域、各種作業領域として利用される。
【００５１】
操作部２１は、図示しない電源ボタン、シャッターレリーズボタン、撮影モード／再生モード切替スイッチ等を備え、それぞれの操作に応じた信号をＣＰＵ１５に出力する。
【００５２】
レンズ１０は、図示しないズームレンズ、フォーカスレンズを含み、レンズ駆動部１８に駆動されて、ズーミング及びフォーカシングを行う。
【００５３】
絞り１２は、レンズ１０を透過してＣＣＤ１１の受光面に到達する被写体光の光量を調節するためのものであり、絞り駆動部１９は、ＣＰＵ１５の指令に従って絞り１２の開口量を制御し、露光量が適正露光量となるように調整する。
【００５４】
赤外線カットフィルタ１３は、絞り１２を通過した被写体光から特定波長域の赤外線をカットし、撮影画像の赤外光によるゴーストやかぶりを防止するためのものである。
【００５５】
ＣＣＤ１１は、赤外線カットフィルタ１３の後段に配置されており、レンズ１０を透過した被写体光を受光する。
【００５６】
ＣＣＤ１１の受光面には図示しない多数の受光素子が二次元的に配列されており、各受光素子に対応して図示しない赤（Ｒ）、緑（Ｇ）、青（Ｂ）の原色カラーフィルタが所定の配列構造で配置されている。受光面上に結像された被写体光は、各受光素子によって電気信号に変換され、蓄積される。
【００５７】
各受光素子に蓄積された電気信号は、図示しない垂直転送路に読み出される。垂直転送路は、この信号を、ＣＣＤ駆動部２０から供給されるクロックに同期して、１ラインずつ図示しない水平転送路に転送する。さらに水平転送路は、垂直転送路から転送された１ライン分の信号を、ＣＣＤ駆動部２０から供給されるクロックに同期してアナログ信号処理部２２へ出力する。
【００５８】
なお、画像信号の出力は、デジタルカメラ１が撮影モードにセットされると開始される。即ち、デジタルカメラ１が撮影モードにセットされると、表示部３１にスルー画像を表示するため、画像信号の出力が開始される。このスルー画像用の画像信号の出力は、本撮影の指示が行われると一旦停止され、本撮影が終了すると再度開始される。なお、本撮影終了時には、一定時間、表示部３１に本撮影された撮影画像が表示される（ポストビュー）。ユーザは、ポストビューを確認することにより、撮影画像が適切に撮影できたか否かを確認することができる。
【００５９】
アナログ信号処理部２２は、図示しない相関二重サンプリング回路（ＣＤＳ）、クランプ処理回路、及び自動ゲインコントロール回路（ＡＧＣ）を含んで構成される。
【００６０】
ＣＤＳは、画像信号に含まれているノイズの除去を行う。クランプ処理回路は、暗電流成分を除去する処理を行う。さらに、ＡＧＣは、暗電流成分が除去された画像信号を、設定された撮影感度（ＩＳＯ感度）に応じた所定のゲインで増幅する。
【００６１】
このアナログ信号処理部２２で所要の信号処理が施されたアナログの画像信号は、Ａ／Ｄ変換器２３において所定ビットの階調幅を持ったデジタルの画像信号に変換される。この画像信号は、いわゆるＲＡＷデータであり、画素毎にＲ、Ｇ、Ｂの濃度を示す階調値を有している。このデジタルの画像信号は、データバス３４、メモリ制御部２５を介してメインメモリ２４に格納される。
【００６２】
制御バス３３、データバス３４には、上記メモリ制御部２５のほか、デジタル信号処理部２６、圧縮伸張処理部２７、積算部２８、外部メモリ制御部３０、表示制御部３２、被写体追従時間計測部４２等が接続されており、これらは制御バス３３の制御信号に基づいて、データバス３４を介して互いに情報を送受信できるようにされている。
【００６３】
デジタル信号処理部２６は、メインメモリ２４に格納されたＲ、Ｇ、Ｂの各色の画像信号に対して所定の信号処理を施し、輝度信号Ｙと色差信号Ｃｒ、Ｃｂとからなる画像信号（Ｙ／Ｃ信号）を生成する。
【００６４】
圧縮伸張処理部２７は、ＣＰＵ１５からの圧縮指令に従い、入力された輝度信号Ｙと色差信号Ｃｒ、Ｃｂとからなる画像信号（Ｙ／Ｃ信号）に所定形式（たとえば、ＪＰＥＧ）の圧縮処理を施し、圧縮画像データを生成する。また、ＣＰＵ１５からの伸張指令に従い、入力された圧縮画像データに所定形式の伸張処理を施して、非圧縮の画像データを生成する。
【００６５】
積算部２８は、ＣＰＵ１５の指令に従い、メインメモリ２４に格納されたＲ、Ｇ、Ｂの画像信号を取り込み、ＡＥ制御に必要な積算値を算出する。ＣＰＵ１５は、積算値から輝度値を算出し、輝度値から露出値を求める。また露出値から所定のプログラム線図に従って、絞り値及びシャッタースピードを決定する。
【００６６】
外部メモリ制御部３０は、ＣＰＵ１５からの指令に従い、記録媒体２９に対してデータの読み／書きを制御する。なお、記録媒体２９は、メモリカードのようにデジタルカメラ１の本体に対して着脱自在なものでもよいし、デジタルカメラ１の本体に内蔵されたものでもよい。着脱自在とする場合は、デジタルカメラ１の本体にカードスロットを設け、このカードスロットに装填して使用する。
【００６７】
表示制御部３２は、ＣＰＵ１５からの指令に従い、表示部３１への表示を制御する。表示部３１は、動画（スルー画像）を表示して電子ビューファインダとして使用できるとともに、撮影した記録前の画像（ポストビュー画像）や記録媒体２９から読み出した再生画像等を表示することができる液晶モニタである。
【００６８】
被写体認識装置４１は、メインメモリ２４に格納されたスルー画像の各フレームのＲ、Ｇ、Ｂの画像信号から、画像類似度に基づいて撮像画像中の被写体を検出する。なお、被写体を認識する手法はこれに限られるものではなく、例えば、輪郭抽出処理や人物の顔検出処理を用いて被写体を検出してもよい。被写体追従時間計測部４２は、被写体認識装置４１において被写体が検出されている時間を計測する。
【００６９】
図２を用いて、第１の実施の形態のデジタルカメラ１の動作について説明する。本実施の形態のデジタルカメラ１は、撮影した被写体を追従していた時間を付帯情報として撮影画像に関連付けて記録する。
【００７０】
デジタルカメラ１は、操作部２１により電源がオンされ、撮影モードに設定されると、ＣＣＤ１１から画像信号の出力が開始され、表示部３１にスルー画像の表示を開始する（ステップＳ１）。ユーザは、この表示部３１に表示されたスルー画像を見ながら構図を決定することができる。
【００７１】
被写体認識装置４１は、このスルー画像の画像信号から、画像中の被写体を検出する（ステップＳ２）。被写体認識装置４１は、前述したようにスルー画像の各フレームの画像の類似度を用いて被写体を検出する。被写体認識装置４１が被写体を検出すると、被写体追従時間計測部４２は、検出した被写体が画像信号中に存在している時間（追従時間）の計測を開始する。
【００７２】
なお、スルー画像ではなく静止画の連写画像を撮影し、被写体認識装置４１は、撮影した連写画像から被写体を検出してもよい。この場合は、スルー画像の代わりに連写画像を表示部３１に表示すればよい。
【００７３】
次に、検出した被写体がフレームアウトしたか否か、即ち検出した被写体が画像信号中に存在しているか否かを判定する（ステップＳ３）。フレームアウトした場合は、被写体追従時間計測部４２は、追従時間の累計をリセットし（ステップＳ４）、ステップＳ２に戻る。フレームアウトしていない場合は、被写体追従時間計測部４２は、追従時間の計測を継続してカウントアップし（ステップＳ５）、追従時間の累計を計測する（ステップＳ６）。被写体追従時間計測部４２が計測している追従時間は、スルー画像とともに表示部３１に表示してもよい。
【００７４】
ここで、ステップＳ１〜Ｓ６までの動作について、図３を用いて説明する。図３は、デジタルカメラ１の表示部３１に表示されたスルー画像の一例を示す図である。
【００７５】
図３（Ａ）は、スルー画像の出力開始時の表示部３１の表示を示している。被写体認識装置４１は、このスルー画像の画像信号から、画像中央の人物（被写体Ａ）を被写体として検出する。被写体追従時間計測部４２は、被写体Ａが検出されている時間の計測を開始する。
【００７６】
図３（Ｂ）、（Ｃ）、（Ｄ）、（Ｅ）は、それぞれ図３（Ａ）から３秒、４秒、５秒、６秒経過後の表示部３１の表示を示している。この間、被写体認識装置４１は被写体Ａを被写体として検出し続けており、被写体追従時間計測部４２は、これらの時間を計測する。
【００７７】
図３（Ｆ）は、図３（Ｅ）から１秒経過後の表示部３１の表示を示している。図３（Ｆ）では、これまでと構図が変わっており、被写体Ａがフレームアウトしているため、被写体認識装置４１は被写体Ａを検出しない。したがって、被写体追従時間計測部４２は、計測時間をリセットする。
【００７８】
図３（Ｇ）は、図３（Ｆ）から１秒経過後の表示部３１の表示を示している。被写体認識装置４１は、このスルー画像の画像信号から、画像左上のボール（被写体Ｂ）を被写体として検出する。被写体追従時間計測部４２は、被写体Ｂが検出されている時間の計測を開始する。
【００７９】
図３（Ｈ）は、図３（Ｇ）から１秒経過後の表示部３１の表示を示している。この間、被写体認識装置４１は被写体Ｂを被写体として検出し続けており、被写体追従時間計測部４２は、この時間を計測する。
【００８０】
このように、被写体認識装置４１は被写体を検出し、被写体追従時間計測部４２は被写体を検出している時間を計測する。なお、被写体認識装置４１が複数の被写体を検出した場合は、被写体追従時間計測部４２は検出されたそれぞれの被写体について追従時間を測定してもよいし、最も大きい被写体や最もデジタルカメラ１に近い被写体を主要被写体とし、主要被写体についてのみ追従時間を計測してもよい。
【００８１】
次に、被写体追従時間計測部４２の計測時間が３秒以上か否かを判定する（ステップＳ７）。３秒以上の場合は、１秒毎にスルー画像の記録を行う（ステップＳ８）。スルー画像は、外部メモリ制御部３０により記録媒体２９に記録される。スルー画像の記録は、１秒毎に限られるものでなく、定期的であれば何秒毎でもよい。また、秒数をユーザが設定できるように構成してもよい。図３の例では、図３（Ｂ）以降のスルー画像が１秒毎に記録媒体２９に記録される。
【００８２】
計測時間が３秒以上でスルー画像の記録を開始すると、ステップＳ９に進み、本撮影が実行されたか否かを判定する（ステップＳ９）。被写体追従時間計測部４２の計測時間が３秒未満の場合も同様である。
【００８３】
本撮影の実行は、操作部２１の図示しないシャッターレリーズボタンを操作することにより行う。シャッターレリーズボタンが操作されていない場合は、ステップＳ３に戻り、同様の処理を繰り返す。
【００８４】
シャッターレリーズボタンが操作された場合は、被写体追従時間計測部４２の計測時間が５秒以上か否かを判定する（ステップＳ１０）。計測時間が５秒以上の場合は、連写モードに設定し（ステップＳ１１）、５秒未満の場合は通常モードに設定する（ステップＳ１５）。通常モードは、一度のシャッターレリーズボタンの操作により１枚の画像を撮影するモードであり、連写モードは、シャッターレリーズボタンを押している間に複数枚の画像を連続して撮影するモードである。連写モードは、一度のシャッターレリーズボタンの操作により所定の複数枚の画像を撮影するモードであってもよい。
【００８５】
連写モードに設定された場合は、撮影画像を記録するとともに付帯情報として被写体追従時間計測部４２が計測した追従時間を記録する（ステップＳ１２、Ｓ１３）。そして、シャッターレリーズボタンが離されるまでステップＳ１２、Ｓ１３を繰り返す（ステップＳ１４）。連写された全ての撮影画像に対して同じ追従時間が記録される。
【００８６】
通常モードに設定された場合は、撮影画像を記録するとともに付帯情報として被写体追従時間計測部４２が計測した追従時間を記録し（ステップＳ１６、Ｓ１７）、本撮影を終了する。
【００８７】
ここで、追従時間の記録は、撮影画像のＥｘｉｆ情報として記録するが、撮影画像と関連付けられていれば、別の形式で記録してもよい。
【００８８】
本撮影が終了すると、被写体追従時間計測部４２が計測した追従時間（付帯情報として記録した追従時間）が４秒以上であるか否かを判定する（ステップＳ１８）。４秒未満の場合は、撮影画像がそのまま表示されるようにポストビュー表示を行う（ステップＳ２０）。４秒以上の場合は、追従されていた被写体が表示部３１の画面全体に拡大表示されるように、表示位置と拡大率を自動調節してポストビュー表示を行う（ステップＳ１９）。
【００８９】
図４は、図３の例において本撮影を行った撮影画像と被写体の追従時間、及び本撮影時のポストビューの表示を示す図である。
【００９０】
ファイル名ＤＳＣＦ０００１．ＪＰＧは、図３（Ｄ）のタイミングで本撮影を行った場合の撮影画像である。付帯情報として記録される追従時間は５秒であり、４秒以上の条件を満たすので、ポストビュー表示は、被写体認識装置４１が検出した被写体Ａを拡大するように表示を行う。撮影画像と被写体Ａを拡大した画像とを並べて表示してもよい。また、５秒以上の条件を満たすので、図４（ａ）の画像以外にも連写モードで複数枚の画像が撮影されている。したがって、ポストビュー表示は、連写された全ての画像について並べて表示してもよい。
【００９１】
ファイル名ＤＳＣＦ０００２．ＪＰＧは、図３（Ｈ）のタイミングで本撮影を行った場合の撮影画像である。付帯情報として記録される追従時間は１秒であり、４秒以上の条件を満たさないので、撮影画像がそのまま表示されるようにポストビュー表示を行う。
【００９２】
ファイル名ＤＳＣＦ０００３．ＪＰＧは、図３（Ｈ）以降のタイミングで本撮影を行った場合の撮影画像である。付帯情報として記録される追従時間は０．７秒であり、４秒以上の条件を満たさないので、図４（ｂ）と同様に撮影画像がそのまま表示されるようにポストビュー表示を行う。
【００９３】
なお、図３（Ｄ）のタイミングで本撮影を行わずに、図３（Ｈ）のタイミングで本撮影を行った場合は、被写体Ａについては図３（Ｆ）のタイミングでステップＳ３においてフレームアウトしたと判断され、ステップＳ４において追従時間がリセットされるため、図３（Ｈ）のタイミングで本撮影を行った画像には被写体Ｂの追従時間のみが付帯情報として記録されるが、ステップＳ４において追従時間をリセットする際に、被写体Ａについての追従時間をメインメモリ２４にキャッシュしておき、本撮影後に被写体Ａについての追従時間も撮影画像のＥｘｉｆ情報として記録媒体２９に記録してもよい。この場合は、被写体Ａについての追従時間は図３（Ａ）のタイミングから図３（Ｅ）のタイミングまでの６秒であるので、被写体Ｂについての追従時間１秒とともに、画像内に存在しない被写体の追従時間として６秒を記録する。
【００９４】
このように、第１の実施の形態のデジタルカメラ１は、撮影した被写体を追従していた時間を計測し、付帯情報として撮影画像に関連付けて記録媒体２９に記録する。計測した追従時間の出力先として、記録媒体２９でなく、表示部３１であってもよい。さらに、計測した追従時間が、本撮影前に所定の時間を越えた場合には定期的にスルー画像を記録するようにしたので、万が一シャッターチャンスを逃した場合であっても、撮影時の様子を記録媒体２９に記録として残すことができる。また、追従時間が本撮影時に所定の時間を越えている場合には本撮影時に連写モードに切り替えるようにしたので、シャッターチャンスを逃さずに撮影することができる。
【００９５】
さらに、追従時間に応じてポストビュー表示を変更するようにしたので、ユーザは、撮影した被写体の写り具合の確認を行いやすくなる。なお、これらの切替えの閾値となる時間は、本実施の形態に限定されず、適宜決めればよく、ユーザが設定できるように構成してもよい。
【００９６】
本実施の形態では、デジタルカメラ１を用いて実現する例を述べたが、カメラ付き携帯電話等の撮像手段を備えた装置において実現させることも可能である。また、撮像手段を備えたパソコン等に図２と同様の処理フローを備えたプログラムを実行させることによっても、実現することが可能である。
【００９７】
＜第２の実施の形態＞
図５は、第２の実施の形態に係る画像ビューワ１００の電気的構成の一例を示す図である。同図に示すように、画像ビューワ１００は、ＣＰＵ５１、操作部５２、制御バス５３、データバス５４、記録媒体５５、外部メモリ制御部５６、表示部５７、表示制御部５８等を備えて構成される。
【００９８】
各部はＣＰＵ５１に制御されて動作し、ＣＰＵ５１は、操作部５２からの入力に基づき所定の制御プログラムを実行することにより、画像ビューワの各部を制御する。外部メモリ制御部５６は、ＣＰＵ５１からの命令に従って、記録媒体５５に記録されている画像を読み出す。表示制御部５８は、ＣＰＵ５１からの命令に従って、表示部５７に画像を表示する。表示部５７は、再生画像等を表示することができる液晶モニタである。
【００９９】
次に、図６を用いて、第２の実施の形態の画像ビューワ１００の動作について説明する。本実施の形態の画像ビューワ１００は、付帯情報として記録されている追従時間に応じて、再生表示の方法を変更する。
【０１００】
まず、ユーザは、操作部５２を操作し、サムネイル画像の一覧表示を実行する（ステップＳ３１）。外部メモリ制御部５６は、記録媒体５５に記録されている画像から、一覧表示の対象となる画像数ｎを取得する（ステップＳ３２）。
【０１０１】
ＣＰＵ５１は、ｎが０であるか否かを判定し（ステップＳ３３）、ｎが０でない場合は、外部メモリ制御部５６を介してｎ番目の画像の追従時間を取得する（ステップＳ３４）。画像の追従時間は、Ｅｘｉｆ情報として記録されている場合はＥｘｉｆ情報から読み出し、他のフォーマットで画像に関連付けて記録されている場合はその情報を読み出せばよい。
【０１０２】
次に、読み出した画像の追従時間が５秒以上であるか否かを判定する（ステップＳ３５）。５秒未満の場合は、サムネイルサイズを小として表示用画像を作成する（ステップＳ３６）。５秒以上の場合は、サムネイルサイズを大として表示用画像を作成する（ステップＳ３７）。Ｅｘｉｆ情報としてサムネイル画像が記録されている場合は、そのサムネイル画像のサイズを小とし、サムネイルサイズが大の場合はＥｘｉｆ情報のサムネイル画像を拡大する。
【０１０３】
ｎ番目の画像のサムネイルサイズを決定したら、ｎをデクリメントし（ステップＳ３８）、ステップＳ３３に戻り、同様の処理を繰り返す。ｎが０になった場合は、ステップＳ３６、Ｓ３７で決定したサムネイルサイズでサムネイル画像の一覧表示を行い（ステップＳ３９）、処理を終了する。
【０１０４】
図７は、記録媒体５５に記録されている画像とそれぞれの被写体の追従時間、及び記憶に残る度合いの一例を示す図である。同図に示すように、ファイル名ＤＳＣＦ０００１．ＪＰＧの画像は、被写体追従時間が５秒であり、ファイル名ＤＳＣＦ０００２．ＪＰＧの画像は、被写体追従時間が１秒であり、ファイル名ＤＳＣＦ０００３．ＪＰＧの画像は、被写体追従時間が０．７秒である。
【０１０５】
被写体追従時間の長いファイル名ＤＳＣＦ０００１．ＪＰＧの画像はユーザの記憶によく残っており、逆に、被写体追従時間の短いファイル名ＤＳＣＦ０００３．ＪＰＧの画像は、あまりユーザの記憶に残っていない可能性が高い。したがって、図８に示すように、被写体追従時間の長い画像についてサムネイルサイズを大きくして表示することで、この大きく表示された画像がしおり的な役割を果たし、ユーザは、大きく表示されている画像を見るだけで大体の撮影当時の様子を思い出すことができ、探している画像がどの辺に存在するのかを素早く判断することが可能となる。図８の例では、サムネイルサイズ大は、サムネイルサイズ小の４倍の大きさとなっているが、サイズの比率は適宜決定すればよい。また、ダイジェストとして、被写体追従時間の長い画像だけを表示してもよい。
【０１０６】
また、本実施の形態の変形例として、図９に示すように、スライドショー表示や高速再生表示等の自動コマ送り機能を用いて再生表示する際に、被写体追従時間の長さに応じて画像切替のタイミングを調整してもよい。図９は、横軸に時間を示しており、各画像の切替わりタイミングを示している。図９の例では、被写体追従時間に応じて再生時間をｔ、２ｔ、３ｔの３段階に変更している。このように表示することで、自動コマ送り時にも目的としている画像を見逃すことなく、さらに、拡大表示やプリント指定等の操作を行う時間を確保することができる。また、一覧表示と同様に、ダイジェストとして、被写体追従時間の長い画像だけを表示してもよい。
【０１０７】
さらに、撮影日毎に画像を表示するカレンダー機能においてそれぞれの撮影日の代表画像を選択する場合や、ファイルやフォルダを管理するアプリケーションにおけるフォルダ毎の代表画像を選択する場合に、被写体追従時間を用いてもよい。例えば、最も被写体追従時間の長い画像を選択することで、最もユーザの記憶に残っている画像を選択することができる。
【０１０８】
このように、被写体追従時間が長い被写体の画像は強く印象に残っている割合が高いので、強く印象に残っている画像ほどユーザの目に留まりやすい状態にし、検索時のランドマークとして利用することで、ユーザはより効率よく目的の画像を探すことが可能となる。
【０１０９】
なお、本実施の形態では、画像ビューワ１００において画像再生表示を行ったが、第１の実施の形態のデジタルカメラ１の再生モードにおいて同様の画像再生表示を行なってもよい。この場合は、記録媒体２９に記録されている画像のサムネイル一覧を、デジタルカメラ１の表示部３１に表示する。
【０１１０】
また、画像再生アプリケーションプログラムを組み込んだパソコンによっても、実現することが可能である。
＜第３の実施の形態＞
第３の実施の形態のデジタルカメラ１は、撮影した被写体を追従していた時間とともに、追従していた間のデジタルカメラ１の移動量を付帯情報として撮影画像に関連付けて記録する。
【０１１１】
図１０は、本実施の形態に係るデジタルカメラ１の電気的構成の一例を示す図である。なお、図１と共通する部分には同一の符号を付し、その詳細な説明は省略する。図１に示す第１の実施の形態に係るデジタルカメラ１とは、角速度センサ４３、ＧＰＳ４４、カメラ移動量計測部４５を備えたところが異なる。
【０１１２】
角速度センサ４３は、慣性力（コリオリの力）から三次元方向の角速度を検出し、デジタルカメラ１本体のレンズの向きを測定する。角速度を検出する方法は、光学的な干渉を利用したものでもよい。ＧＰＳ４４は、ＧＰＳ衛星からのＧＰＳ電波を受信し、デジタルカメラ１の現在位置を特定する。
【０１１３】
カメラ移動量計測部４５は、角速度センサ４３の出力から図１１（ａ）に示す移動角度としての移動量Ａや移動量Ｂを算出する。また、ＧＰＳ４４の出力から、図１１（ｂ）に示す移動距離として移動量Ｃを算出する。
【０１１４】
次に、図１２を用いて、本実施の形態のデジタルカメラ１の動作について説明する。なお、図２と共通する部分には同一の符号を付し、その詳細な説明は省略する。
【０１１５】
まず、デジタルカメラ１は、表示部３１にスルー画像の表示を開始する（ステップＳ１）。被写体認識装置４１は、このスルー画像の画像信号から、画像中の被写体を検出する（ステップＳ２）。被写体認識装置４１が被写体を検出すると、被写体追従時間計測部４２は、検出した被写体が画像信号中に存在している時間の計測を開始する。
【０１１６】
また、角速度センサ４３がカメラ向きＤ０を取得し（ステップＳ５１）、ＧＰＳ４４がカメラ位置Ｐ０を取得する（ステップＳ５２）。
【０１１７】
被写体が検出されると、検出した被写体がフレームアウトしたか否かを判定する（ステップＳ３）。フレームアウトした場合は、被写体追従時間計測部４２は、追従時間の累計をリセットするとともに後述するｎをクリアし（ステップＳ４）、ステップＳ２に戻る。フレームアウトしていない場合は、被写体追従時間計測部４２は、時間の計測を継続する（ステップＳ６）。
【０１１８】
次に、変数ｎをインクリメントし（ステップＳ５３）、角速度センサ４３がカメラ向きＤｎを取得し（ステップＳ５４）、ＧＰＳ４４がカメラ位置Ｐｎを取得する（ステップＳ５５）。さらに、カメラ移動量計測部４５は、カメラの総移動量として、移動角度の総和（Σ（Ｄｎ−Ｄｎ−１））及び移動距離の総和（Σ（Ｐｎ−Ｐｎ−１））を算出する（ステップＳ５６）。
【０１１９】
この算出されたカメラの総移動量について、移動角度の総和が３０°以上か否か、又は移動距離の総和がＬｍ以上か否かを判定する（ステップＳ５７）。いずれか一方でも該当する場合は、１秒毎にスルー画像の記録を行う（ステップＳ８）。スルー画像は、外部メモリ制御部３０により記録媒体２９に記録される。総移動量が大きい場合に定期的にスルー画像を記録するようにしたのは、移動量が大きい被写体の撮影はシャッターチャンスを逃す可能性があるので、シャッターチャンスを逃した場合に備えるためである。
【０１２０】
次に、シャッターレリーズボタンが操作されたか否かを判定し（ステップＳ９）、操作されていない場合は、ステップＳ３に戻り、同様の処理を繰り返す。
【０１２１】
シャッターレリーズボタンが操作された場合は、移動角度の総和が６０°以上か否か、又は移動距離の総和がＭｍ以上か否かを判定する（ステップＳ５８）。いずれか一方でも該当する場合は、連写モードに設定し（ステップＳ１１）、どちらにも該当しない場合は通常モードに設定される（ステップＳ１５）。
【０１２２】
連写モードに設定された場合は、撮影画像を記録するとともに付帯情報として被写体追従時間計測部４２が計測した追従時間と、移動角度の総和及び移動距離の総和を記録し（ステップＳ１２、Ｓ１３）、シャッターレリーズボタンが離されるまでステップＳ１２、Ｓ１３を繰り返す（ステップＳ１４）。
【０１２３】
通常モードに設定された場合は、撮影画像を記録するとともに付帯情報として被写体追従時間計測部４２が計測した追従時間と、移動角度の総和及び移動距離の総和を記録し（ステップＳ１６、Ｓ１７）、本撮影を終了する。
【０１２４】
撮影が終了すると、移動角度の総和が３０°以上か否か、又は移動距離の総和がＮｍ以上か否かを判定する（ステップＳ５９）。どちらにも該当しない場合は、撮影画像がそのまま表示されるようにポストビュー表示を行う（ステップＳ２０）。いずれか一方でも該当する場合は、検出した被写体が拡大表示されるようにポストビュー表示を行う（ステップＳ１９）。
【０１２５】
図１３は、デジタルカメラ１の表示部３１に表示されたスルー画像の一例を示す図である。
【０１２６】
図１３（ａ）は、スルー画像の表示を開始したときの表示部３１に表示されたスルー画像（Ａ）とデジタルカメラ１のレンズの向きＤ０、スルー画像（Ｂ）とデジタルカメラ１のレンズの向きＤ１、及び本撮影した撮影画像（Ｃ）とデジタルカメラ１のレンズの向きＤｎを示している。この例では、移動角度の総和は９５°であり、この移動角度は撮影画像（Ｃ）の付帯情報として、追従時間及び移動距離とともに記録される。
【０１２７】
また、図１３（ｂ）は、スルー画像の表示を開始したときの表示部３１に表示されたスルー画像（Ａ）とデジタルカメラ１のレンズの向きＤ０、及び本撮影した撮影画像（Ｂ）とデジタルカメラ１のレンズの向きＤｎを示している。この例では、移動角度の総和は１５°であり、この移動角度は撮影画像（Ｂ）の付帯情報として、追従時間及び移動距離とともに記録される。
【０１２８】
本実施の形態では、本撮影時にデジタルカメラ１の移動角度の総和が大きい場合、又は移動距離の総和が大きい場合に連写モードに設定したが、これらの場合にシャッタースピードを高速に切替えたり、撮影感度（ＩＳＯ感度）を高く設定したり、手振れ補正機能の補正量を強めたりしてもよい。また、移動量と追従時間から被写体の動きの速度を算出し、被写体の動きが速い場合にこれらの切替えを行なってもよい。
【０１２９】
また、第１の実施の形態と同様に、ステップＳ４において追従時間をリセットする際に、フレームアウトした被写体についての追従時間及びカメラ移動量をメインメモリ２４にキャッシュしておき、本撮影後にフレームアウトした被写体についての追従時間及びカメラ移動量も撮影画像のＥｘｉｆ情報として記録媒体２９に記録してもよい。
【０１３０】
さらに、第１の実施の形態と同様に、撮像手段、角速度センサ等を備えたパソコン等に図１２と同様の処理フローを備えたプログラムを実行させることによっても、実現することが可能である。
【０１３１】
＜第４の実施の形態＞
図１４を用いて、第４の実施の形態の画像ビューワ１００の動作について説明する。本実施の形態の画像ビューワ１００の電気的構成は、図５に示す第２の実施の形態の画像ビューワ１００と同様であり、撮影画像に付帯情報として記録されている移動量に応じて、スライドショーの画像切替えのエフェクトを変更する。
【０１３２】
まず、ユーザは、操作部５２を操作することにより、撮影画像のスライドショーを実行する（ステップＳ７１）。スライドショーとは、複数の撮影画像を所定の時間毎に切替えて再生表示する表示方法である。外部メモリ制御部５６は、記録媒体５５に記録されている画像から最も古い画像を読み出し（ステップＳ７２）、さらに付帯情報として記録されている移動量を取得する（ステップＳ７３）。
【０１３３】
ＣＰＵ５１は、取得した移動量が９０°以上、又はＮｍ以上であるか否かを判定する（ステップＳ７４）。いずれか一方でも該当する場合は、スライドインで画像切替えを行う（ステップＳ７８）。どちらにも該当しない場合は、取得した移動量が３０°以上、又はＬｍ以上であるか否かを判定する（ステップＳ７５）。いずれか一方でも該当する場合は、フェードイン＋スライドインで画像切替えを行う（ステップＳ７７）。どちらにも該当しない場合は、フェードインで画像切替えを行う（ステップＳ７６）。
【０１３４】
画像切替えが終了すると、表示していない画像があるか否かを判定し（ステップＳ７９）、表示していない画像が存在する場合は、ステップＳ７２に戻り、まだ表示していない画像のうち最も古い画像を読み出し、同様の処理を繰り返す。
【０１３５】
図１５は、画像ビューワ１００の表示部５７に表示された、スライドショー実行時の画像切り替えのエフェクトを示す図である。図１５（ａ）はスライドイン、図１５（ｂ）はフェードインを示しており、図１５（ｃ）はフェードイン＋スライドイン、それぞれ、（ｉ）に示す画像Ａが表示された状態において、画像Ｂへの画像切り替えを示している。
【０１３６】
図１５（ａ）に示すスライドインは、表示部５７の右側から画像Ｂが差し込まれるようにスライドして画像が切替わる。したがって、スピード感が表現されるエフェクトである。これに対し、図１５（ｂ）に示すフェードインは、画像Ａがだんだん薄く表示されるとともに、画像Ｂがだんだん濃く表示され、最終的に画像Ｂに切替わる。このように、フェードインは落ち着いた表現のエフェクトである。図１５（ｃ）に示すフェードイン＋スライドインは、これらの効果を足したように画像が切替わる。
【０１３７】
図１６は、記録媒体５５に記録されている画像とそれぞれの被写体のカメラ移動量、及びカメラ移動量と追従時間から算出したカメラ移動速度の一例を示す図である。同図に示すように、ファイル名ＤＳＣＦ０００４．ＪＰＧの画像は、カメラ移動角度が９５°でありカメラ移動速度が速い。また、ファイル名ＤＳＣＦ０００５．ＪＰＧの画像は、カメラ移動角度が１５°であり、カメラ移動速度は遅い。
【０１３８】
したがって、ファイル名ＤＳＣＦ０００４．ＪＰＧの画像を表示する際には、画面上にスライドインで画像が表示され、被写体の躍動感に合った演出を加えてスライドショーを実現することができ、ファイル名ＤＳＣＦ０００５．ＪＰＧの画像を表示する際には、フェードインで静かに画像が表示されるので、落ち着いた表現で画像を鑑賞させることができる。なお、エフェクトの種類を変更せずに、スライドインのスピードや表示開始位置等を、カメラの移動量に応じて複数切り替えるだけでも同様の効果を得ることができる。また、使用するエフェクトは、スライドイン、フェードインに限定されるものではなく、適宜適切なものを使用すればよい。
【０１３９】
なお、本実施の形態では、カメラの移動量に応じてエフェクトの切り替えを行ったが、被写体の追従時間から算出したカメラの移動速度に応じてエフェクトの切り替えを行ってもよい。このように構成することにより、撮影時の臨場感やスピード感をよりリアルに再現しながらスライドショーを楽しむことが可能となる。
【０１４０】
また、本実施の形態では、画像ビューワ１００においてスライドショー表示を行ったが、デジタルカメラ１の再生モードにおいて同様のスライドショー表示を行なってもよい。また、画像再生アプリケーションプログラムを組み込んだパソコンによっても、実現することが可能である。
【図面の簡単な説明】
【０１４１】
【図１】図１は、本発明に係るデジタルカメラ１の電気的構成の一例を示す図である。
【図２】図２は、第１の実施の形態のデジタルカメラ１の動作について示したフローチャートである。
【図３】図３は、デジタルカメラ１の表示部３１に表示されたスルー画像の一例を示す図である。
【図４】図４は、図３の例において本撮影を行った撮影画像と被写体の追従時間、及び本撮影時のポストビューの表示を示す図である。
【図５】図５は、第２の実施の形態に係る画像ビューワ１００の電気的構成の一例を示す図である。
【図６】図６は、第２の実施の形態の画像ビューワ１００の動作について示したフローチャートである。
【図７】図７は、記録媒体５５に記録されている画像とそれぞれの被写体の追従時間、及び記憶に残る度合いの一例を示す図である。
【図８】図８は、画像ビューワ１００の表示部５７に表示されたサムネイル画像の一覧を示す図である。
【図９】図９は、自動コマ送り機能を用いて再生表示する際の画像切替のタイミングを示す図である。
【図１０】図１０は、第３の実施の形態に係るデジタルカメラ１の電気的構成の一例を示す図である。
【図１１】図１１は、撮影時のデジタルカメラ１の移動量を示す図である。
【図１２】図１２は、第３の実施の形態のデジタルカメラ１の動作について示したフローチャートである。
【図１３】図１３は、デジタルカメラ１の表示部３１に表示されたスルー画像の一例を示す図である。
【図１４】図１４は、第４の実施の形態の画像ビューワ１００の動作について示したフローチャートである。
【図１５】図１５は、画像切り替えのエフェクトについて示した図である。
【図１６】図１６は、記録媒体５５に記録されている画像とそれぞれの被写体のカメラ移動量、及びカメラ移動量と追従時間から算出したカメラ移動速度の一例を示す図である。
【符号の説明】
【０１４２】
１…デジタルカメラ、２９、５５…記録媒体、３１、５７…表示部、４１…被写体認識装置、４２…被写体追従時間計測部、４３…角速度センサ、４４…ＧＰＳ、４５…カメラ移動量計測部、１００…画像ビューワ
【図１】
2010087598.tif 000003
【図２】
2010087598.tif 000004
【図３】
2010087598.tif 000005
【図４】
2010087598.tif 000006
【図５】
2010087598.tif 000007
【図６】
2010087598.tif 000008
【図７】
2010087598.tif 000009
【図８】
2010087598.tif 000010
【図９】
2010087598.tif 000011
【図１０】
2010087598.tif 000012
【図１１】
2010087598.tif 000013
【図１２】
2010087598.tif 000014
【図１３】
2010087598.tif 000015
【図１４】
2010087598.tif 000016
【図１５】
2010087598.tif 000017
【図１６】
2010087598.tif 000018